(57)【要約】【課題】肘掛けを背凭れに近接させて設けても、肘掛け作用する荷重が背凭れ本体に伝達することがなく、肘掛けと背凭れ（背凭れ支持部）との連結部が露出することを防止することができる背凭れおよび椅子を提供する。【解決手段】着座者が背を凭せ掛ける背凭れ本体４１と、背凭れ本体４１の後側に位置し背凭れ本体４１を支持する背凭れ支持部２４と、背凭れ本体４１の幅方向の外側に設けられ、背凭れ支持部２４に支持された肘掛け７と、を有する背凭れ４において、背凭れ支持部２４は、肘掛け７が幅方向の外側から接触した状態で連結される連結部５と、連結部５の後縁部から幅方向の外側に突出し、連結部５と肘掛け７との連結部分を後側から遮蔽する突出板部（後側遮蔽壁）２６と、を有する。【選択図】図８
2020062343.tif 000002
【特許請求の範囲】
【請求項１】
着座者が背を凭せ掛ける背凭れ本体と、
前記背凭れ本体の後側に位置し前記背凭れ本体を支持する背凭れ支持部と、
前記背凭れ本体の幅方向の外側において前記背凭れ支持部に支持され、前記着座者が肘を掛ける肘掛けと、を有する背凭れにおいて、
前記背凭れ支持部は、前記肘掛けが幅方向の外側から接触した状態で連結される連結部と、
前記連結部の後縁部から幅方向の外側に突出し、前記連結部と前記肘掛けとの連結部分を後側から遮蔽する後側遮蔽壁と、を有することを特徴とする背凭れ。
【請求項２】
前記肘掛けは、前記背凭れ本体の後側において前記連結部と連結され、
前記背凭れ本体は、前記連結部および前記肘掛けの前側に設けられ、前記連結部と前記肘掛けとの連結部分を前側から遮蔽する前側遮蔽壁を有することを特徴とする請求項１に記載の背凭れ。
【請求項３】
前記背凭れ本体は、前記連結部に連結されていることを特徴とする請求項１又は２に記載の背凭れ。
【請求項４】
前記背凭れ本体は、外周枠部と、
前記外周枠部に張られるとともに前記外周枠部の外縁部を被覆する弾性変形可能な面材と、を有することを特徴とする請求項１から３のいずれか一項に記載の背凭れ。
【請求項５】
請求項１から４のいずれか一項に記載の背凭れを有することを特徴とする椅子。
【発明の詳細な説明】
【技術分野】
【０００１】
本発明は、背凭れおよび椅子に関する。
【背景技術】
【０００２】
椅子の背凭れとして、着座者が背を凭せ掛ける背凭れ本体と、背凭れ本体の側方に設けられ着座者が肘を掛ける肘掛けと、を有する背凭れが知られている（例えば、特許文献１−３参照）。このような背凭れでは、肘掛けが背凭れ本体の外周部に設けられた枠部に支持されるため、肘掛けを背凭れ本体に近づけた状態に設けることができ、着座して背凭れに背を凭せ掛けた着座者の腕を肘掛けが背凭れに近い位置から支持することができる。
【先行技術文献】
【特許文献】
【０００３】
【特許文献１】特開２００７−１２５２２３号公報
【特許文献２】特表平８−５０７９３５号公報
【特許文献３】特開２０１５−０９３０８７号公報
【発明の概要】
【発明が解決しようとする課題】
【０００４】
このような背凭れでは、着座者から肘掛けに作用した荷重が背凭れ本体に伝達されるため、背凭れ本体の少なくとも外周部における肘掛けが取り付けられる部分は、肘掛けに作用する荷重を考慮した強度にする必要がある。
ところで、特許文献２に開示された背凭れは、フレームの内側の開口部を覆うようにメッシュ状の膜を設けている。このような背凭れでは、メッシュ状の膜が弾性変形することにより、着座者の動作に追従するように構成されている。
しかしながら、このような背凭れの枠部に肘掛けを取り付ける場合、フレームにおける肘掛けが取り付けられる部分は、上述したように肘掛けに作用する荷重を考慮した強度にする必要があるため、この部分の強度（剛性）によってメッシュ状の膜の弾性変形が妨げられる虞がある。
特許文献３に開示された背凭れは、背凭れ本体が、椅子の支持構造体に支持された背フレームに支持され、この背フレームに肘掛けが取り付けられている。このような背凭れでは、背凭れ本体に肘掛けが直接取り付けられる構成ではないため、肘掛けを設けるために背凭れ本体の強度を大きくする必要はないが、肘掛けと背フレームとの連結部が後方に露出するため、美観を損ねている。
【０００５】
そこで、本発明は、肘掛けを背凭れに近接させて設けても、肘掛け作用する荷重が背凭れ本体に伝達することがなく、肘掛けと背凭れ（背凭れ支持部）との連結部が露出することを防止することができる背凭れおよび椅子を提供することを目的とする。
【課題を解決するための手段】
【０００６】
上記目的を達成するため、本発明に係る背凭れは、着座者が背を凭せ掛ける背凭れ本体と、前記背凭れ本体の後側に位置し前記背凭れ本体を支持する背凭れ支持部と、前記背凭れ本体の幅方向の外側において前記背凭れ支持部に支持され、前記着座者が肘を掛ける肘掛けと、を有する背凭れにおいて、前記背凭れ支持部は、前記肘掛けが幅方向の外側から接触した状態で連結される連結部と、前記連結部の後縁部から幅方向の外側に突出し、前記連結部と前記肘掛けとの連結部分を後側から遮蔽する後側遮蔽壁と、を有することを特徴とする。
【０００７】
また、本発明に係る椅子は、上記の背凭れを有することを特徴とする。
【０００８】
本発明では、肘掛けが幅方向の外側から接触した状態で背凭れ支持部の連結部に連結されるため、肘掛けを背凭れ支持部に強固に連結させることができ、肘掛けに作用する荷重が背凭れ本体に伝達することを防止することができる。また、後側遮蔽壁によって連結部と肘掛けとの連結部分が前側に露出しないため、背凭れの意匠性を向上させることができる。
【０００９】
また、本発明に係る背凭れでは、前記肘掛けは、前記背凭れ本体の後側において前記連結部と連結され、前記背凭れ本体は、前記連結部および前記肘掛けの前側に設けられ、前記連結部と前記肘掛けとの連結部分を前側から遮蔽する前側遮蔽壁を有していてもよい。
このような構成とすることにより、前側遮蔽壁によって連結部と肘掛けとの連結部分が前側に露出しないため、背凭れの意匠性を向上させることができる。
【００１０】
また、本発明に係る背凭れでは、前記背凭れ本体は、前記連結部に連結されていてもよい。
このような構成とすることにより、背凭れ本体および肘掛けをともに背凭れ支持部の連結部に連結すればよいため、背凭れ本体および肘掛けをそれぞれ背凭れ支持部の異なる部材や部位に連結する場合と比べて、背凭れ支持部の部品点数を抑えたり、背凭れ支持部を簡便な構造にしたりすることができる。
【００１１】
また、本発明に係る背凭れでは、前記背凭れ本体は、外周枠部と、前記外周枠部に張られるとともに前記外周枠部の外縁部を被覆する弾性変形可能な面材と、を有していてもよい。
本発明では、肘掛けが背凭れ本体の外周枠部ではなく、背凭れ支持部に支持されていることにより、背凭れ本体の外周枠部を肘掛けを支持可能な強度にする必要がない。これにより、背凭れ本体の外周枠部を、面材の弾性変形を最適にするために弾性変形可能な構造としても、肘掛けの支持に影響することがない。
【発明の効果】
【００１２】
本発明によれば、肘掛けを背凭れに近接させて設けても、肘掛け作用する荷重が背凭れ本体に伝達することがなく、肘掛けと背凭れ支持部との連結部が露出することを防止することができる。
【図面の簡単な説明】
【００１３】
【図１】本発明の実施形態による椅子の一例を示す斜視図である。
【図２】本発明の実施形態による椅子の正面図である。
【図３】本発明の実施形態による椅子の背面図である。
【図４】背凭れ支持部と外周枠部の連結構造を示す斜視図である。
【図５】背凭れ支持部の斜視図である。
【図６】図４のＡ−Ａ線断面図である。
【図７】図４のＢ−Ｂ線断面図である。
【図８】図４のＣ−Ｃ線断面図である。
【図９】図４のＤ−Ｄ線断面図である。
【図１０】外周枠部の斜め前方から見た斜視図である。
【図１１】外周枠部の斜め後方から見た斜視図である。
【図１２】肘掛けの斜視図である。
【図１３】肘掛けの分解斜視図である。
【図１４】肘掛け本体支持部の斜視図である。
【図１５】図１４のＥ−Ｅ線断面図である。
【図１６】図１４のＦ−Ｆ線断面図である。
【図１７】図１４のＧ−Ｇ線断面図である。
【図１８】肘掛け本体の斜視図である。
【図１９】図１８のＨ−Ｈ線断面図である。
【図２０】図１２のＩ−Ｉ線断面図である。
【図２１】レール部材の斜視図である。
【発明を実施するための形態】
【００１４】
以下、本発明の実施形態による背凭れおよび椅子について、図１−図２１に基づいて説明する。
図１−図３に示すように、本実施形態による椅子１は、支持構造体２と、座部３と、背凭れ４と、を有している。
以下の説明において、椅子１に着座した着座者が前を向く方向を前側、その反対側を後側とし、前側と後側とを結ぶ水平方向を前後方向とする。また、前後方向に直交する水平方向を幅方向とする。椅子１は、幅方向に対称な形状となっている。幅方向について、椅子１全体における幅方向の中央に対する幅方向の両端側を「幅方向の外側」と表記し、幅方向の端部に対する幅方向の中央側を「幅方向の内側」と表記することがある（図２および図３参照）。
【００１５】
支持構造体２は、脚体２１と、脚柱２２と、支基２３と、を有している。
脚体２１は、平面視で放射状に配置された複数の脚杆２１１を有している。各脚杆２１１の先端部には、それぞれ床面に接地するキャスタ２１２が設けられている。
脚柱２２は、脚体２１の中央に立設している。脚柱２２は、ガススプリングを内蔵した伸縮式で、脚体２１に固定された外筒２２１と、外筒２２１に挿通され外筒２２１よりも上側に延びる内筒２２２と、を有ししている。内筒２２２は、外筒２２１に対して昇降可能に構成されているとともに、外筒２２１と相対回転可能に構成されている。
【００１６】
支基２３は、脚柱２２の上端部に固定されている。支基２３の上部には、座部３が配置され、支基２３の後部には、背凭れ４の背凭れ支持部２４が配置されている。
支基２３は、背凭れ支持部２４を傾動可能（回動可能）に支持するとともに、着座面を形成する座部３を背凭れ支持部２４と連動して傾動可能に支持している。
【００１７】
（背凭れ）
図１−図４に示すように、背凭れ４は、着座者が背を凭せ掛ける背凭れ本体４１と、背凭れ本体４１の後側に位置し背凭れ本体４１を支持する背凭れ支持部２４と、背凭れ本体４１の幅方向の外側に配置され、着座者が肘を掛ける肘掛け７と、を有している。
【００１８】
（背凭れ支持部）
図４−図５に示すように、背凭れ支持部２４は、支基２３（図１−図３参照）に連結され支基２３よりも後方に延びる下側フレーム２４１と、下側フレーム２４１の後端部から上方に延びる後側フレーム２４２と、を有している。下側フレーム２４１と後側フレーム２４２とは、一体に形成されている。背凭れ支持部２４は、幅方向から見た側面視でＬ字形状をなしている。
【００１９】
下側フレーム２４１は、それぞれ前後方向に延びて幅方向に間隔をあけて配置された一対の後方延出部２４３と、一対の後方延出部２４３の前後方向の中間部同士を連結する下側連結部２４４とを有している。一対の後方延出部２４３のうちの幅方向の一方側の後方延出部２４３は、前端部が支基２３の幅方向の一方側に連結され、幅方向の他方側の後方延出部２４３は、前端部が支基２３の幅方向の他方側に連結されている。
【００２０】
後側フレーム２４２は、一対の後方延出部２４３の後端部から上側に向かって漸次前側に向かう方向に延びる一対の上方延出部２４５と、一対の上方延出部２４５の上端部同士を連結する上側連結部２４６と、を有している。
上側連結部２４６は、幅方向の全体にわたって幅方向の中央が後側に凹むように湾曲している。
【００２１】
一対の上方延出部２４５は、幅方向に間隔をあけて設けられている。一対の上方延出部２４５のうちの一方の上方延出部２４５は、椅子１の幅方向の中央よりも幅方向の一方側に位置し、他方の上方延出部２４５は、椅子１の幅方向の中央よりも幅方向の他方側に位置している。このため、一対の上方延出部２４５は、互いに対向する側が幅方向の内側となり、互いに離間する側が幅方向の外側となる。
一対の上方延出部２４５は、下側から上側に向かって漸次前側に向かう方向に延びる棒状に形成され背凭れ本体４１が固定される連結部５と、連結部５の後縁部５７から幅方向の外側に突出する突出板部２６（後側遮蔽壁）と、をそれぞれ有している。
【００２２】
図５に示すように、連結部５には、溝状や、凹状、孔状の肉抜き部が適宜形成されている。連結部５の外周面は、概ね前側を向く面を連結部前面５１と、概ね後方を向く面を連結部後面５２と、概ね幅方向の内側を向く面を連結部内側面５３と、概ね幅方向の外側を向く面を連結部外側面５４と、から構成されている。「・・側を向く面」や、「・・方向を向く面」とは、その法線が「・・側」や「・・方向に」に延びている面を示している。
【００２３】
連結部後面５２は、下側から上側に向かって漸次前側に向かうとともに、幅方向の外側から内側に向かって漸次後側に向かう面に形成されている。連結部後面５２は、上側連結部２４６の後面と角部や段差なく連続している。
連結部前面５１は、下側から上側に向かって漸次前側に向かうとともに、幅方向の外側から内側に向かって漸次後側に向かう面に形成されている。連結部前面５１は、連結部後面５２とほぼ平行となっている。
【００２４】
連結部内側面５３は、後端部近傍が幅方向の内側よりもやや後側を向く面に形成され、それよりも前側の部分が幅方向の内側を向く面に形成されている。
連結部外側面５４は、後側から前側に向かって漸次幅方向の内側に向かう面に形成されている。連結部外側面５４は、連結部後面５２および連結部前面５１と略直交する面となっている。
連結部５は、後側から前側に向かって漸次幅方向の寸法が小さくなっている。
【００２５】
連結部５には、背凭れ本体４１を固定する第１ボルト６１（図６および図７参照）が挿入される第１孔部５５が上下方向に間隔をあけて２つ形成され、肘掛け７の肘掛け本体支持部７２を固定する第２ボルト６２（図８および図９参照）が挿入される第２孔部５６が上下方向に間隔をあけて２つ形成されている。
２つの第２孔部５６は、２つの第１孔部５５の間に形成されている。
【００２６】
図６および図７に示すように、連結部５には、上下方向に間隔をあけた２か所それぞれに、前側開口する前側凹部５５１と、前側凹部５５１の後側に位置し後側に開口する後側凹部５５２と、が形成されている。前側凹部５５１と後側凹部５５２とは、中間板部５５３を介して略前後方向に並んで配置されている。中間板部５５３は、板面が前後方向を向く板状に形成され、正面視における中央部分に前後方向に貫通する孔部が形成されている。この孔部が第１孔部５５となっている。
図５に戻り、連結部５は、上側に位置する前側凹部５５１の上部に切込み部５５４が形成されていて、切込み部５５４を介して前側凹部５５１の内部が連結部５の上方に連通するように構成されている。切込み部５５４は、前側凹部５５１における幅方向の外側部分の上部に位置している。
【００２７】
図８および図９に示すように、連結部５には、２つの第１孔部５５（図５参照）の間に、上下方向に間隔をあけた２か所それぞれに、幅方向の内側に開口する内側凹部５６１が形成されている。本実施形態では、内側凹部５６１は後方にも開口している。内側凹部５６１の底面５６２は、前側から後側に向かって漸次幅方向の外側に向かう面に形成されている。内側凹部５６１の底面５６２は、連結部外側面５４と平行に配置されている。
【００２８】
連結部５には、内側凹部５６１の底面５６２から連結部外側面５４まで貫通する孔部が形成されている。この孔部が第２孔部５６となっている。第２孔部５６は、幅方向の内側から外側に向かって漸次前側に向かう斜め方向に連結部５を貫通している。第２孔部５６の貫通方向は、連結部前面５１、連結部後面５２に沿った方向で、幅方向の内側から外側に向かって漸次前側に向かう第１斜め方向となっている。
第１斜め方向は、幅方向の内側から外側に向かって漸次前側に向かう方向、およびその反対側となる幅方向の外側から内側に向かって漸次後側に向かう方向を示している。第１斜め方向は、略水平方向となっている。
第１方向における幅方向の内側から外側に向かって漸次前側に向かう側を外側とし、反対側となる幅方向の外側から内側に向かって漸次後側に向かう側を内側とする。
【００２９】
図５、図８、図９に示すように、突出板部２６は、連結部５の後縁部５７から第１斜め方向に突出する板状に形成され、その面が上側連結部２４６の湾曲に沿った面となっている。突出板部２６の後面２６１は、連結部後面５２と段差や屈曲部４６２を介さず滑らかに連続している。突出板部２６の前面２６２は、第２孔部５６よりも後側に位置している。これにより、突出板部２６は、第２孔部５６と干渉しないように構成されている。突出板部２６は、上側から下側に向かって連結部５から幅方向の外側に突出する寸法が短くなっていて、板面が上側から下側に向かって幅方向の寸法が漸次短くなる略三角形状となっている。
【００３０】
（背凭れ本体）
背凭れ本体４１は、背凭れ支持部２４の後側フレーム２４２の前側に配置されている。
背凭れ本体４１は、内側に開口部４２１が形成された四角枠状の外周枠部４２と、開口部４２１を覆い外周枠部４２に係止される面材４３（図１−図３参照）と、を有している。図４では、面材４３を省略している。
面材４３は、メッシュや布などの膜状の部材で構成され、外周枠部４２の前側から見た正面視形状よりも大きく形成されて、外縁部が外周枠部４２に係止されている。
【００３１】
図４、図１０、図１１に示すように、外周枠部４２は、上枠部４４、下枠部４５と、一対の縦枠部４６と、を有している。
一対の縦枠部４６は、幅方向に間隔をあけて設けられている。一対の縦枠部４６のうちの一方の縦枠部４６は、椅子１の幅方向の中央よりも幅方向の一方側に位置し、他方の縦枠部４６は、椅子１の幅方向の中央よりも幅方向の他方側に位置している。このため、一対の縦枠部４６は、互いに対向する側が幅方向の内側となり、互いに離間する側が幅方向の外側となる。
【００３２】
上枠部４４は、幅方向に延びる部材で、正面視で幅方向の中央が上側に張り出すとともに、上側から見た平面視で幅方向の中央が後側に張り出すように幅方向全体にわたって湾曲している。上枠部４４には、面材４３（図１−図３参照）の上縁部を係止する上枠面材係止溝部４４１が形成されている。上枠面材係止溝部４４１は、上側に開口する溝部で、上枠部４４の幅方向全体にわたって形成されている。
下枠部４５は、幅方向に延びる部材で、正面視で幅方向の中央が下側に張り出すとともに、平面視で幅方向の中央が後側に張り出すように幅方向全体にわたって湾曲している。下枠部４５には、面材４３の下縁部を係止する下枠面材係止溝部４５１が形成されている。下枠面材係止溝部４５１は、下側に開口する溝部で、下枠部４５の幅方向全体にわたって形成されている。
【００３３】
一対の縦枠部４６は、上下方向の中間部に屈曲部４６２が形成されている。
一対の縦枠部４６は、幅方向から見た側面視で、屈曲部４６２よりも下側の部分が下側から上側に向かって漸次前側に向かう方向に延び、屈曲部４６２よりも上側の部分が下側から上側に向かって漸次後側に向かう方向に延びている。また、一対の縦枠部４６は、正面視で屈曲部４６２よりも下側が下側から上側に向かって漸次幅方向の外側に向かう方向に延び、屈曲部４６２よりも上側が下側から上側に向かって漸次幅方向の内側に向かう方向に延びている。屈曲部４６２は、一対の縦枠部４６それぞれの上下方向の中央よりも下側に位置している。
【００３４】
一対の縦枠部４６は、それぞれ面材４３を係止する面材係止部４６３（前側遮蔽壁）と、面材係止部４６３と連続して形成され、背凭れ支持部２４に固定される背凭れ連結部４６４と、面材係止部４６３から後側に突出するリブ４６５と、を有している。
【００３５】
面材係止部４６３は、縦枠部４６の上下方向全体にわたって設けられていて、上端部が上枠部４４と接続され、下端部が下枠部４５と接続されている。一対の縦枠部４６のうちの一方の縦枠部４６の面材係止部４６３は、上端部が上枠部４４の幅方向の一方側の端部と接続され、下端部が下枠部４５の幅方向の一方側の端部と接続されている。一対の縦枠部４６のうちの他方の縦枠部４６の面材係止部４６３は、上端部が上枠部４４の幅方向の他方側の端部と接続され、下端部が下枠部４５の幅方向の他方側の端部と接続されている。
【００３６】
面材係止部４６３には、面材４３の側縁部を係止する縦枠面材係止溝部４６１が形成されている。縦枠面材係止溝部４６１は、幅方向の内側に開口する溝部で、上下方向全体にわたって形成されている。
一対の縦枠面材係止溝部４６１は、それぞれ上枠面材係止溝部４４１および下枠面材係止溝部４５１と連続している。これにより、外周枠部４２には、外周部全体にわたって面材４３を係止するための溝部が形成されている。
【００３７】
図１０および図１１に示すように、背凭れ連結部４６４は、縦枠部４６における屈曲部４６２よりも下側の部分全体に設けられている。背凭れ連結部４６４は、面材係止部４６３の幅方向の内側に設けられている。背凭れ連結部４６４の下端部は、下枠部４５と接続されている。
背凭れ連結部４６４は、面材係止部４６３の屈曲部４６２よりも下側の部分の後縁部から幅方向の内側に向かって漸次後側に延びる連結板部４７と、連結板部４７から後側に突出する連結突出部４８と、を有している。
【００３８】
連結板部４７は、上下方向に延びる長尺に形成され、下端部が下枠部４５と接続されている。連結板部４７は、前方を向く連結板部前面４７１が前後方向の前側よりもやや幅方向の内側を向く面となり、後方を向く連結板部後面４７２が前後方向の後側よりもやや幅方向の外側を向く面となっている。連結板部４７は、平面視において下枠部４５に沿った形状に形成されている。
【００３９】
連結突出部４８は、１つの連結板部４７に対して上下方向に間隔をあけて２つ設けられている。図１１に示すように、連結突出部４８は、連結板部４７から後側に突出する筒状部４８１と、筒状部４８１の先端部（後端部）を覆うように接続された先端板部４８２と、を有している。先端板部４８２は、板面が前後方向を向く平板状に形成され、板面の中央に前後方向に貫通する第３孔部４８３が形成されている。
図６および図７に示すように、連結突出部４８は、背凭れ支持部２４の連結部５の前側凹部５５１に前側から嵌合する形状に形成されている。連結突出部４８は、背凭れ支持部２４の連結部５の前側凹部５５１に嵌合すると、第３孔部４８３が前側凹部５５１の第１孔部５５と前後方向に重なるように設定されている。
【００４０】
図１１に示すように、リブ４６５は、縦枠部４６の上下方向の中間部分で、屈曲部４６２およびその上下の領域を含む部分に設けられている。リブ４６５は、板面が幅方向を向く板状に形成されている。リブ４６５の下端部は、上側に配置された連結突出部４８の筒状部４８１の側面と接続されている。リブ４６５の下部側には、後方および下方に開口する切り欠き部４６６が形成されている。
【００４１】
図１および図２に示すように、面材４３は、外周枠部４２の内側を覆うように縦枠部４６の前側に張られ、上枠部４４、下枠部４５および一対の縦枠部４６の前面を巻きこんで、外縁部が面材係止溝部４４１，４５１，４６１に挿入されて外周枠部４２に係止されている。面材４３が形成し、着座者が背を凭せ掛ける面を背凭れ面４３１とする。背凭れ面４３１は、幅方向の中央が幅方向の外側端部よりも後側に凹むように湾曲している。
外周枠部４２に張られた面材４３は、前方から作用した荷重によって弾性変形可能に構成されている。また、外周枠部４２も面材４３に作用した荷重によって弾性変形可能に構成されている。
【００４２】
外周枠部４２は、面材４３が張られた状態で背凭れ支持部２４に固定されている。外周枠部４２は、背凭れ支持部２４の後側フレーム２４２の前側に固定されている。
図４に示すように、一対の縦枠部４６の背凭れ連結部４６４は、後側フレーム２４２における上方延出部２４５の連結部５の前側に配置されている。背凭れ連結部４６４の連結板部４７は、連結板部後面４７２が連結部５の連結部前面５１と当接している。背凭れ連結部４６４の連結突出部４８は、連結部５の前側凹部５５１に挿入されている。
【００４３】
前後方向に重なった背凭れ連結部４６４の連結突出部４８の先端板部４８２に形成された第３孔部４８３と、背凭れ支持部２４の連結部５の前側凹部５５１の第１孔部５５と、に挿通された第１ボルト６１がナットに締結されることによって、外周枠部４２が背凭れ支持部２４に連結されている。
一対の縦枠部４６のリブ４６５は、上側の連結突出部４８と連続している下端部分が連結部５の前側凹部５５１の上側に形成された切込み部５５４に挿入され、この下端部分よりも上側の部分が連結部５の上方に配置されている。
【００４４】
背凭れ本体４１を背凭れ支持部２４に固定するには、まず、面材４３を外周枠部４２に取り付けた状態とする。
外周枠部４２の一対の縦枠部４６の背凭れ連結部４６４を、後側フレーム２４２における上方延出部２４５の連結部５の前側に配置する。そして、背凭れ連結部４６４の連結板部４７の連結板部後面４７２を連結部５の連結部前面５１に当接させる。また、背凭れ連結部４６４の連結突出部４８を、連結部５の前側凹部５５１に挿入する。
このようにすることで、背凭れ連結部４６４の連結突出部４８の先端板部４８２に形成された第３孔部４８３と、背凭れ支持部２４の連結部５の前側凹部５５１の第１孔部５５と、が前後方向に重なり、これらの第１孔部５５および第３孔部４８３に第１ボルト６１を挿通し、ナット６３と締結する。これにより背凭れ本体４１が背凭れ支持部２４に連結される。なお、ナット６３は、連結突出部４８の内部に固定されていてもよい。
このようにすると、互いに連結された背凭れ支持部２４および背凭れ本体４１との間には、背凭れ支持部２４の突出板部２６、連結部５における連結部外側面５４、および背凭れ本体４１の縦枠部４６の面材係止部４６３に囲まれて略上下方向に延びて、第１斜め方向の外側に開口する凹部２７が形成される。この凹部２７には、肘掛け７の肘掛け本体支持部７２が挿入される。
【００４５】
（肘掛け）
図１２および図１３に示すように、肘掛け７は、着座者が肘を掛ける肘掛け本体７１と、背凭れ支持部２４に固定され肘掛け本体７１を昇降可能に支持する肘掛け本体支持部７２と、肘掛け本体支持部７２を覆うカバー部材７３と、を有している。
【００４６】
図１３および図１４に示すように、肘掛け本体支持部７２は、長尺のブロック状の部材で略上下方向に延びる前側部材７４と、長尺のブロック状の部材で略上下方向に延びる向きで前側部材７４の後側に連結される後側部材７５と、を有している。前側部材７４および後側部材７５は、それぞれアルミニウム合金などの金属で成形され、ボルトなどの連結具（不図示）で連結されている。
前側部材７４と後側部材７５とが連結された肘掛け本体支持部７２は、上下方向から見た形状が第１斜め方向に延びている。
【００４７】
前側部材７４は、第１斜め方向の内側に位置する前側連結部７４１と、前側連結部７４１の前側部分から第１斜め方向の外側に向かって突出する前側突出片７４２と、を有している。
前側連結部７４１の前方を向く面（前面７４１ａとする）および前側突出片７４２の前方を向く面（前面７４２ａとする）は、それぞれ前後方向の前側よりもやや幅方向の内側を向く面に形成されている。前側連結部７４１の前面７４１ａと、前側突出片７４２の前面７４２ａとは、面一に配置されている。
【００４８】
前側連結部７４１の後方を向く面（後面７４１ｂとする）には、第１斜め方向の中間部に第１段部７４１ｃが形成され、第１段部７４１ｃよりも第１斜め方向の外側となる外側部分７４１ｄが、第１段部７４１ｃよりも第１斜め方向の内側となる内側部分７４１ｅよりも前側に位置している。前側連結部７４１の後面７４１ｂにおける外側部分７４１ｄおよび内側部分７４１ｅは、共に前後方向の後側よりもやや幅方向の外側を向く面に形成されている。
前側突出片７４２の後方を向く面（後面７４２ｂとする）は、前後方向の後側よりもやや幅方向の外側を向く面に形成されている。前側突出片７４２の後面７４２ｂは、前側連結部７４１の後面における外側部分７４１ｄよりも前側に位置している。前側突出片７４２の後面７４２ｂと前側連結部７４１の後面７４１ｂとの間には第２段部７４２ｃが形成されている。
【００４９】
図１３に示すように、前側連結部７４１の第１斜め方向の内側の側面（第１側面７４１ｆとする）は、第１斜め方向の内側を向く面に形成されている。
図１５−図１７に示すように、前側連結部７４１には、第１斜め方向の内側の部分に第１斜め方向の内側に開口する凹部状の第４孔部７４３が形成されている。第４孔部７４３の周面には、ネジ山が形成されている。第４孔部７４３は、上下方向に間隔をあけて２か所設けられている。
【００５０】
図１４に示すように、後側部材７５は、平板状に形成されている。
後側部材７５の前側を向く面（前面７５ａとする）は、前後方向の前側よりもやや幅方向の内側を向く面に形成されている。後側部材７５の後側を向く面（後面７５ｂとする）は、前後方向の後側よりもやや幅方向の外側を向く面に形成されている。
後側部材７５は、前側部材７４の第１段部７４１ｃに第１斜め方向の内側の端部７５ｃが位置し、前側部材７４の前側連結部７４１よりも第１斜め方向の外側に突出するように配置される。
【００５１】
後側部材７５は、前側連結部７４１の後側に配置されて前側連結部７４１と連結される後側連結部７５１と、後側連結部７５１の第１斜め方向の外側に配置され、前側連結部７４１よりも第１斜め方向の外側に突出する後側突出片７５２と、を有している。
前側突出片７４２と後側突出片７５２とは、前後方向に間隔をあけて平行に配置されている。肘掛け本体支持部７２には、前側連結部７４１よりも第１斜め方向の外側に前側突出片７４２と後側突出片７５２とに挟まれた昇降溝部７４４が形成されている。
【００５２】
連結されている前側部材７４の前側連結部７４１と、後側部材７５の後側連結部７５１とを合わせて第１基部７２１とする。第１基部７２１の前面７２１ａは、前側連結部７４１の前面７４１ａを示し、第１基部７２１の後面７２１ｂは、前側連結部７４１の後面７４１ｂのうちの内側部分７４１ｅおよび後側連結部７５１の後面７５１ｂを示し、第１基部７２１の上面７２１ｃは、前側連結部７４１および後側連結部７５１の上面を示し、第１基部７２１の下面７２１ｄは、前側連結部７４１および後側連結部７５１の下面を示す。また、第１基部７２１の第１斜め方向の内側の第１側面７２１ｅは、前側連結部７４１の第１側面７４１ｆを示す。
【００５３】
図１５に示すように、前側突出片７４２の後面７４２ｂには、上下方向に延びる前側突出片溝部７４５が上下方向に間隔をあけて２か所形成されている。前側突出片溝部７４５の断面は、半円弧状に形成されている。前側突出片溝部７４５は、前側突出片７４２の上端部および下端部まで達しておらず、それぞれの前側突出片７４２の上方および下方と連通しないように構成されている。２つの前側突出片溝部７４５それぞれの上端部に位置する下向きの端面を前側突出片溝部上側端面７４５ａとし、前側突出片溝部７４５の下端部に位置する上向きの端面を前側突出片溝部下側端面７４５ｂとする。
前側突出片７４２の第１斜め方向の外側の端面および後面には、第１滑り材７６１が張り付けられている。第１滑り材７６１は、前側突出片溝部７４５と干渉しない位置に張り付けられている。
【００５４】
図１６に示すように、後側突出片７５２の前面７５２ａには、上下方向に延びる後側突出片溝部７５５が上下方向に間隔をあけて２か所形成されている。後側突出片溝部７５５の断面は、半円弧状に形成されている。後側突出片溝部７５５は、前側突出片溝部７４５と対向する位置に配置されている。後側突出片溝部７５５は、後側突出片７５２の上端部および下端部まで達しておらず、それぞれの後側突出片７５２の上方および下方と連通しないように構成されている。２つの後側突出片溝部７５５それぞれの上端部に位置する下向きの端面を後側突出片溝部上側端面７５５ａとし、後側突出片溝部７５５の下端部に位置する上向きの端面を後側突出片溝部下側端面７５５ｂとする。
後側突出片７５２の第１斜め方向の外側の端面および前面には、第２滑り材７６２が張り付けられている。第２滑り材７６２は、後側突出片溝部７５５と干渉しない位置に張り付けられている。
【００５５】
図１８に示すように、肘掛け本体７１は、上側に設けられて前後方向に延びる上部杆７１１と、後側に設けられて上部杆７１１の後端部から下側に向かって漸次後側に向かう斜め方向に延びる後部杆７１２と、を有している。
上部杆７１１の前側部分の上部には、肘乗せ部７１３が設けられている。
後部杆７１２は、幅方向の内側に肘掛け本体支持部７２（図１３参照）が取り付けられるように構成されている。後部杆７１２は、肘掛け本体支持部７２よりも上下方向に長く形成されている。
肘掛け本体７１は、外殻となる肘掛け本体カバー部７１４を有していて、上部杆７１１を覆う部分と後部杆７１２を覆う部分とは一体に形成されている。
【００５６】
図１８および図１９に示すように、肘掛け本体カバー部７１４には、後部杆７１２を覆う部分の幅方向の内側に上下方向に延びる２つ肘掛け本体カバー溝部７１４ａ，７１４ｂが前後方向に間隔をあけて形成されている。２つ肘掛け本体カバー溝部７１４ａ，７１４ｂは、それぞれ肘掛け本体支持部７２の上下方向の寸法よりも長く形成されている。２つの肘掛け本体カバー溝部７１４ａ，７１４ｂのうち、前側の溝を前側肘掛け本体カバー溝部７１４ａとし、後側の溝を後側肘掛け本体カバー溝部７１４ｂとする。
【００５７】
図２０に示すように、後部杆７１２の肘掛け本体カバー部７１４の内部には、肘掛け本体支持部７２の前側突出片７４２が前側肘掛け本体カバー溝部７１４ａを貫通した状態で挿入され、肘掛け本体支持部７２の後側突出片７５２が後側肘掛け本体カバー溝部７１４ｂを貫通した状態で挿入されるように構成されている。
なお、本実施形態では、肘掛け本体カバー部７１４における２つの肘掛け本体カバー溝部７１４ａ，７１４ｂが形成されている部分は、その他の部分に対して着脱可能な部材に形成されている。
【００５８】
図１９および図２０に示すように、後部杆７１２の肘掛け本体カバー部７１４の内部には、肘掛け本体支持部７２と上下方向に相対移動可能に係合するレール部材７７が設けられている。レール部材７７は、上下方向の寸法が後部杆７１２の上下方向の寸法よりもやや小さくなるように形成され、肘掛け本体支持部７２の上下方向の寸法よりも長く形成されている。
図１９−図２１に示すように、レール部材７７は、上下方向に延びる棒状の第２基部７７１と、第２基部７７１の上下方向全体から第１斜め方向の内側に突出する凸条部７７２と、を有している。凸条部７７２は、第２基部７７１の前後方向の中間部から第１斜め方向の内側に突出している。
凸条部７７２の前側を向く面（前面７７２ａとする）は、前後方向の前側よりもやや幅方向の内側を向く面に形成されている。凸条部７７２の後側を向く面（後面７７２ｂとする）は、前後方向の後側よりもやや幅方向の外側を向く面に形成されている。凸条部７７２の前面７７２ａと後面７７２ｂとは平行になっている。
【００５９】
凸条部７７２の前面７７２ａには、上下方向全体にわたって延びる凸条部前側溝部７７２ｃが形成されている。凸条部前側溝部７７２ｃの断面は、円弧状に形成されている。
凸条部７７２の後面７７２ｂには、上下方向全体にわたって延びる凸条部後側溝部７７２ｄが形成されている。凸条部後側溝部７７２ｄの断面は、円弧状に形成されている。
【００６０】
レール部材７７は、肘掛け本体カバー部７１４の内部で２つの肘掛け本体カバー溝部７１４ａ，７１４ｂと重なる位置に配置されている。図２０に示すように、レール部材７７の凸条部７７２は、後部杆７１２の肘掛け本体カバー部７１４の内部に肘掛け本体カバー溝部７１４ａ，７１４ｂを貫通して挿入された肘掛け本体支持部７２の前側突出片７４２と後側突出片７５２との間の昇降溝部７４４に挿入されている。レール部材７７の第２基部７７１は、前側突出片７４２および後側突出片７５２の先端面と滑り材７６１，７６２を介して当接している。
【００６１】
凸条部７７２の前面７７２ａは、前側突出片７４２の後面７４２ｂと間隔をあけて対向している。凸条部７７２の前面７７２ａの凸条部前側溝部７７２ｃは、前側突出片７４２の後面７４２ｂの２つの前側突出片溝部７４５それぞれと対向している。
凸条部前側溝部７７２ｃと２つの前側突出片溝部７４５それぞれとの間には上下方向に延びる円柱状の前側抜け止め防止部材７６３が設けられている。前側抜け止め防止部材７６３の表面は滑り面に形成されている。
【００６２】
前側抜け止め防止部材７６３は、前側突出片溝部７４５の長さ方向の寸法よりもやや短い長さ寸法に形成され、前側半分が２つの前側突出片溝部７４５それぞれに挿入されている。前側突出片溝部７４５に挿入された前側抜け止め防止部材７６３は、前側突出片溝部７４５の前側突出片溝部上側端面７４５ａおよび前側突出片溝部下側端面７４５ｂによって前側突出片７４２に対する上下方向の変位が規制されている。
前側抜け止め防止部材７６３の後側半分は、凸条部７７２の凸条部前側溝部７７２ｃに挿入されている。凸条部前側溝部７７２ｃに挿入された前側抜け止め防止部材７６３は、凸条部７７２に対して凸条部前側溝部７７２ｃに沿って上下方向に相対変位可能に構成されている。
【００６３】
凸条部７７２の後面７７２ｂは、後側突出片７５２の前面７５２ａと間隔をあけて対向している。凸条部７７２の後面７７２ｂの凸条部後側溝部７７２ｄは、後側突出片７５２の前面７５２ａの２つの後側突出片溝部７５５それぞれと対向している。
凸条部後側溝部７７２ｄと２つの後側突出片溝部７５５それぞれとの間には上下方向に延びる円柱状の後側抜け止め防止部材７６４が設けられている。後側抜け止め防止部材７６４の表面は滑り面に形成されている。
凸条部前側溝部７７２ｃと２つの後側突出片溝部７５５それぞれとの間には上下方向に延びる円柱状の後側抜け止め防止部材７６４が設けられている。後側抜け止め防止部材７６４の表面は滑り面に形成されている。
【００６４】
後側抜け止め防止部材７６４は、後側突出片溝部７５５の長さ方向の寸法よりもやや短い長さ寸法に形成され、前側半分が２つの後側突出片溝部７５５それぞれに挿入されている。後側突出片溝部７５５に挿入された後側抜け止め防止部材７６４は、後側突出片溝部７５５の後側突出片溝部上側端面７５５ａおよび後側突出片溝部下側端面７５５ｂによって後側突出片７５２に対する上下方向の変位が規制されている。
後側抜け止め防止部材７６４の後側半分は、凸条部７７２の凸条部後側溝部７７２ｄに挿入されている。凸条部後側溝部７７２ｄに挿入された後側抜け止め防止部材７６４は、凸条部７７２と凸条部後側溝部７７２ｄに沿って上下方向に相対変位可能に構成されている。
【００６５】
このような肘掛け本体７１は、レール部材７７の凸条部７７２が肘掛け本体支持部７２の昇降溝部７４４に挿入された状態で、肘掛け本体支持部７２に対して、上下方向に昇降可能に構成されている。レール部材７７の凸条部７７２と肘掛け本体支持部７２の前側突出片７４２と間に前側抜け止め防止部材が設けられ、レール部材７７の凸条部７７２と肘掛け本体支持部７２の後側突出片７５２との間に後側抜け止め防止部材が設けられていることにより、肘掛け本体支持部７２がレール部材７７から離れて肘掛け本体７１から抜け出ることが防止されている。
なお、図示していないが、肘掛け本体７１を所望の高さに拘束する公知の構造の高さ調整部が設けられている。
【００６６】
図１２および図１３に示すように、カバー部材７３は、肘掛け本体支持部７２の第１基部７２１を覆っている。カバー部材７３は、筒状に形成されていて、第１斜め方向に開口する向きに配置されている。カバー部材７３は、第１基部７２１の前面７２１ａを覆う前板部７３１と、第１基部７２１の後面７２１ｂを覆う後板部７３２と、第１基部７２１の上面７２１ｃを覆う上板部７３３、第１基部７２１の下面７２１ｄを覆う下板部７３４と、を有している。
【００６７】
前板部７３１は、上端部が第１基部７２１の上面７２１ｃよりも上側に位置し、下端部が第１基部７２１の下面７２１ｄよりも下側に位置している。前板部７３１の第１斜め方向の内側の端部は、第１基部７２１の第１側面７２１ｅと重なる位置に配置されている。前板部７３１の第１斜め方向の外側の縁部は、第１基部７２１の第１斜め方向外側の縁部と重なる位置に配置されている。
前板部７３１の前面７３１ａには、第１斜め方向の中間部に上下方向に延びる前板段部７３１ｂが形成されている。前板部７３１は、前板段部７３１ｂよりも第１斜め方向の外側の外側部分７３１ｃが前板段部７３１ｂよりも第１斜め方向の内側の内側部分７３１ｄよりも前側に位置している。
【００６８】
後板部７３２は、上端部が第１基部７２１の上面７２１ｃよりも上側に位置し、下端部が第１基部７２１の下面７２１ｄよりも下側に位置している。前板部７３１の第１斜め方向の内側の端部は、第１基部７２１の第１側面７２１ｅと重なる位置に配置されている。前板部７３１の第１斜め方向の外側の縁部は、第１基部７２１の第１斜め方向外側の縁部と重なる位置に配置されている。
【００６９】
上板部７３３は、前縁部が前板部７３１の上縁部と接続され、後縁部が後板部７３２の上縁部と接続されている。上板部７３３の第１斜め方向の外側の縁部は、第１基部７２１の第１斜め方向の外側の縁部近傍と重なる位置に配置されている。上板部７３３は、前板部７３１および後板部７３２よりも幅方向の内側に突出している。上板部７３３における前板部７３１および後板部７３２よりも幅方向の内側に突出している部分を突出板部７３３ｂとする。突出板部７３３ｂは、第１基部７２１よりも幅方向の内側に突出している。
上板部７３３の下側には、上板部７３３の下面から下側に突出する上リブ７３５が複数形成されている。上リブ７３５は、下端部が第１基部７２１の上面７２１ｃと当接するように構成されている。
【００７０】
下板部７３４は、前縁部が前板部７３１の下縁部と接続され、後縁部が後板部７３２の下縁部と接続されている。下板部７３４の幅方向の外側の縁部は、第１基部７２１の幅方向の外側の縁部近傍と重なる位置に配置されている。下板部７３４の幅方向の内側の縁部は、第１基部７２１の第１側面７２１ｅの下側に重なる位置に配置されている。
下板部７３４の上側には、下板部７３４の上面から上側に突出する複数の下側リブ７３６と、下側リブ７３６の上側に設けられる内板部７３７と、が設けられている。内板部７３７は、板面が略上下方向を向き、前縁部が前板部７３１に接続され、後縁部が後板部７３２に接続されている。内板部７３７の上面は、第１基部７２１の下面７２１ｄと当接するように構成されている。
【００７１】
肘掛け７は、肘掛け本体支持部７２と肘掛け本体７１とが連結され、肘掛け本体支持部７２の第１基部７２１にカバー部材７３が取り付けられた状態で、肘掛け本体支持部７２が背凭れ支持部２４に固定されている。以下では、肘掛け本体支持部７２と肘掛け本体７１とが連結され、肘掛け本体支持部７２の第１基部７２１にカバー部材７３が取り付けられた状態であるものとする。
また、肘掛け７は、背凭れ本体４１が背凭れ支持部２４に固定された後に、互いに連結された背凭れ支持部２４および背凭れ本体４１との間の凹部２７に肘掛け本体支持部７２およびカバー部材７３が差し込まれるようにして背凭れ支持部２４に固定される。上述しているが、凹部２７は、背凭れ支持部２４の突出板部２６、連結部５における連結部外側面５４、および背凭れ本体４１の縦枠部４６の面材係止部４６３に囲まれて第１斜め方向の外側に開口している。
【００７２】
図８および図９に示すように、肘掛け７を背凭れ支持部２４に固定するには、まず、肘掛け本体支持部７２における第１斜め方向の内側の部分を凹部２７に挿入する。
このとき、肘掛け本体支持部７２の上下２つの第４孔部７４３が連結部５の上下２つの第２孔部５６とそれぞれ第１斜め方向に重なるよう、肘掛け７を凹部２７に挿入する。
そして、第１基部７２１の第１側面７２１ｅを背凭れ支持部２４の連結部５における連結部外側面５４と当接させるとともに、カバー部材７３の前板部７３１、後板部７３２および下板部７３４（図１３参照）それぞれの第１斜め方向の内側の縁部を連結部外側面５４と当接させる。カバー部材７３の上板部７３３の突出板部７３３ｂを連結部５の上側に配置し、突出板部７３３ｂの下面と連結部５の上面とを当接させる。カバー部材７３の前板部７３１の前面７３１ａにおける内側部分７３１ｄを背凭れ本体４１の縦枠部４６の面材係止部４６３の後面と当接させる。
【００７３】
連結部５および肘掛け本体支持部７２は、面材４３の後側に位置し、連結部５の第２孔部５６、および肘掛け本体支持部７２の第４孔部７４３は、幅方向の外側よりも前側を向く斜め方向に開口している。この第２孔部５６および第４孔部７４３の開口方向は、背凭れ本体４１に沿った方向となっている。そして、この第２孔部５６および第４孔部７４３の開口方向は、幅方向の内側から外側に向かって背凭れ面４３１に近接する方向となっている。
第２ボルト６２は、第２孔部５６および第４孔部７４３に幅方向の内側から外側に向かって挿入される。このため、第２ボルト６２は、背凭れ面４３１と離間している側から背凭れ面４３１に近接する側に向かうようにして第２孔部５６および第４孔部７４３に挿通されるように構成されている。
第２孔部５６および第４孔部７４３に幅方向の内側から第２ボルト６２を挿通してナットと締結することで、肘掛け本体支持部７２が背凭れ支持部２４に固定される。
このとき、連結部前面５１と、カバー部材７３の前板部７３１の前面７３１ａにおける内側部分７３１ｄと、は略面一に配置されている。
【００７４】
肘掛け本体支持部７２およびカバー部材７３は、背凭れ支持部２４の突出板部２６と、縦枠部４６の面材係止部４６３と、に前後から挟まれた状態となり、肘掛け本体支持部７２およびカバー部材７３と連結部５との連結部分が被覆されている。縦枠部４６の面材係止部４６３の幅方向の外側の端部は、カバー部材７３の前板部７３１の前板段部７３１ｂに沿って配置され、前板段部７３１ｂに幅方向の内側から当接した状態となっている。このため、カバー部材７３と縦枠部４６とは幅方向にずれることが防止されている。
【００７５】
図２に示すように、肘掛け本体支持部７２およびカバー部材７３は、背凭れ本体４１よりも幅方向の外側に突出し、肘掛け本体支持部に支持された肘掛け本体７１は、背凭れ本体４１と離間し、外周枠部４２よりも幅方向の外側に位置している。肘掛け本体７１の上部杆７１１は、前後方向に延びている。肘掛け本体７１の上部杆７１１の肘乗せ部７１３は、背凭れ本体４１よりも前側に配置されているため、背凭れ本体４１と離間している。
なお、肘掛け７を背凭れ支持部２４に固定した後に、背凭れ本体４１を背凭れ支持部２４に固定するようにしてもよい。
【００７６】
次に、上述した本実施形態による背凭れおよび椅子の作用・効果について図面を用いて説明する。
上述した本実施形態による背凭れ４および椅子１では、肘掛け７が幅方向の外側から接触した状態で背凭れ支持部２４の連結部５に連結されるため、肘掛け７を背凭れ支持部２４に強固に連結させることができ、肘掛け７に作用する荷重が背凭れ本体４１に伝達することを防止することができる。また、突出板部２６によって連結部５と肘掛け７との連結部分が前側に露出しないため、背凭れ４の意匠性を向上させることができる。
【００７７】
また、肘掛け７は、背凭れ本体４１の後側において連結部５と連結され、背凭れ本体４１は、連結部５と肘掛け７との連結部分の前側に設けられる面材係止部４６３を有していることにより、面材係止部４６３によって連結部５と肘掛け７との連結部分が前側に露出しないため、背凭れ４の意匠性を向上させることができる。
【００７８】
また、背凭れ本体４１は、連結部５に連結されていることにより、背凭れ本体４１および肘掛け７をともに背凭れ支持部２４の連結部５に連結すればよいため、背凭れ本体４１および肘掛け７をそれぞれ背凭れ支持部２４の異なる部材や部位に連結する場合と比べて、背凭れ支持部２４の部品点数を抑えたり、背凭れ支持部２４を簡便な構造にしたりすることができる。
【００７９】
また、背凭れ本体４１は、外周枠部４２と、外周枠部４２に張られるとともに外周枠部４２の外縁部を被覆する弾性変形可能な面材４３と、を有している。本実施形態では、肘掛け７が背凭れ本体４１の外周枠部４２ではなく、背凭れ支持部２４に支持されていることにより、背凭れ本体４１の外周枠部４２を肘掛け７を支持可能な強度にする必要がない。これにより、背凭れ本体４１の外周枠部４２を、面材４３の弾性変形を最適にするために弾性変形可能な構造としても、肘掛け７の支持に影響することがない。
【００８０】
以上、本発明による背凭れおよび椅子の実施形態について説明したが、本発明は上記の実施形態に限定されるものではなく、その趣旨を逸脱しない範囲で適宜変更可能である。
例えば、上記の実施形態では、肘掛け７は、背凭れ本体４１の後側において連結部５と連結され、背凭れ本体４１は、連結部５と肘掛け７との連結部分の前側に設けられる面材係止部４６３を有しているが、このような面材係止部４６３が設けられていなくてもよい。
【００８１】
また、上記の実施形態では、背凭れ本体４１は、背凭れ支持部２４の連結部５に連結されているが、背凭れ本体４１が連結される背もたれ支持部２４の部位は適宜設定されてよい。
【００８２】
また、上記の実施形態では、背凭れ本体４１は、外周枠部４２と、外周枠部４２に張られるとともに外周枠部４２の外縁部を被覆する弾性変形可能な面材４３と、を有しているが、背凭れ本体４１の形態は適宜設定されてよい。
【００８３】
また、上記の実施形態では、肘掛け本体７１は、肘掛け本体支持部７２に昇降可能に支持されているが、肘掛け本体支持部７２に対して昇降しない構成であってもよい。
【符号の説明】
【００８４】
１  椅子
２  支持構造体
４  背凭れ
５  連結部
７  肘掛け
２４  背凭れ支持部
２６  突出板部（後側遮蔽壁）
４１  背凭れ本体
４２  外周枠部
４３  面材
５７  後縁部
６２  第２ボルト
４３１  背凭れ面
４６３  面材係止部（前側遮蔽壁）
【図１】
2020062343.tif 000003
【図２】
2020062343.tif 000004
【図３】
2020062343.tif 000005
【図４】
2020062343.tif 000006
【図５】
2020062343.tif 000007
【図６】
2020062343.tif 000008
【図７】
2020062343.tif 000009
【図８】
2020062343.tif 000010
【図９】
2020062343.tif 000011
【図１０】
2020062343.tif 000012
【図１１】
2020062343.tif 000013
【図１２】
2020062343.tif 000014
【図１３】
2020062343.tif 000015
【図１４】
2020062343.tif 000016
【図１５】
2020062343.tif 000017
【図１６】
2020062343.tif 000018
【図１７】
2020062343.tif 000019
【図１８】
2020062343.tif 000020
【図１９】
2020062343.tif 000021
【図２０】
2020062343.tif 000022
【図２１】
2020062343.tif 000023